(57)【要約】      （修正有）【課題】ブランケットをブランケット胴に精度良くかつ強固に固定できるとともに部品点数を少なくしたブランケット固定装置を提供する。【解決手段】ブランケット胴１に形成された凹部２にブロック３が固定され、ブランケット胴１の周面に、ブランケットの基端を拘束するための拘束溝５が形成され、回転バー８がブランケット胴１に回転自在に支持され、回転バー８には、拘束溝５に差し込まれたブランケットの基端を押し付けて固定する軸方向に長尺状の押さえバー１４が進退可能に支持されている。【選択図】図２
2010012747.tif 000002
【特許請求の範囲】
【請求項１】
円柱状のブランケット胴の周面に軸方向にブランケットの基端を差し込んで拘束するための拘束溝が形成されるとともに、ブランケット胴内に回転バーがその軸線周りに回転自在に支持され、回転バーには拘束溝に差し込まれたブランケットの両方の基端を押し付けて固定する軸方向に長尺状の押さえバーが進退可能に支持されていることを特徴とする輪転印刷機のブランケット固定装置。
【請求項２】
円柱状のブランケット胴の周面に軸方向に形成された凹部に外周面をブランケット胴の外形と等しくした形状を持ちかつブランケット胴の一部の周面を形成するブロックが固定され、ブランケット胴の周面に、ブランケット胴本体の凹部とブロックの対向面との間にブランケットの両方の基端を差し込んで拘束するための拘束溝が形成され、ブロック内には、軸方向に拘束溝に通じる開放部を有する回転バー溝内に回転バーがその軸線周りに回転自在に支持され、回転バーには、拘束溝に差し込まれたブランケットの基端を押し付けて固定する軸方向に長尺状の押さえバーが進退可能に支持されていることを特徴とする輪転印刷機のブランケット固定装置。
【請求項３】
回転バーの一端には、回転バーを回すための棒を挿入する挿入孔を軸線と直交する方向に設けた回転用カラーが、回転バーの軸方向に移動可能且つ回転バーを回転可能に設けられるとともに、ブランケット胴に対してクラッチを介して接離可能に設けられていることを特徴とする請求項１または２記載の輪転印刷機のブランケット固定装置。
【請求項４】
回転バーには、拘束溝に差し込まれたブランケットの両方の基端を押し付けて固定する押さえバーが、押さえバーに固定した複数のボルトのそれぞれに通した圧縮バネを押さえバーと回転バーとの間に介在させて前進後退可能に回転バーに支持されていることを特徴とする請求項１〜３のいずれかに記載の輪転印刷機のブランケット固定装置。
【請求項５】
押さえバーが軸方向に複数に分割されていることを特徴とする請求項１〜４のいずれかに記載の輪転印刷機のブランケット固定装置。
【請求項６】
押さえバーのブランケット基端押さえ部分が間隔をおいて複数形成されていることを特徴とする請求項１〜５のいずれかに記載の輪転印刷機のブランケット固定装置。
【請求項７】
回転バー溝の開放側の曲面が拘束溝に連続しており、拘束溝に挿入したブランケットの両方の基端が、回転バー溝の前記曲面に押さえバーで押圧されることを特徴とする請求項１〜６のいずれかに記載の輪転印刷機のブランケット固定装置。
【請求項８】
ブランケットの基端に膨出部を形成し、この膨出部または膨出部周りを押さえバーで押圧することを特徴とする請求項１〜７のいずれかに記載の輪転印刷機のブランケット固定装置。  
【請求項９】
膨出部の凹面を押さえバーで押圧することを特徴とする請求項８に記載の輪転印刷機のブランケット固定装置。
【発明の詳細な説明】
【技術分野】
【０００１】
本発明は、輪転印刷機のブランケット胴にブランケットを固定するためのブランケット固定装置に関する。
【背景技術】
【０００２】
新聞などの印刷に使用される輪転印刷機においては、ブランケット胴の外周面に巻き付けられているブランケットにブランケット胴に対向して配置されている版胴からインクが転写され、転写されたインキを走行紙に転写して印刷を行っている。
【０００３】
図９はブランケットの一例を示す斜視図である。このブランケットＢは、平板状ゴム層２１の下面に薄肉厚の金属板２２を固着し、金属板２２の両端を平板状ゴム層２１から突出させた基端１７，１８を形成している。このブランケットＢを使用する際には、突出させた基端を折り曲げてブランケット胴の拘束溝５（図２）に差し込むようにしている。ブランケットＢをブランケット胴に固定する際には、ブランケットＢの一方の基端１７を拘束溝５に差し込むとともにブランケット胴に巻き付け、他方の基端１８を拘束溝５に差し込んだ後、この基端１７，１８を、ブランケット胴内に配置させたブランケット固定装置により固定する。
【０００４】
ブランケット固定装置は各種の方式が提案されている（例えば、特許文献１、２参照）。前記特許文献１のブランケット胴は、ブランケットのゆるみがなく、回転時の振動、騒音を少なくするため、ブランケット胴において、軸線と平行の穴と、この穴に沿ってブランケット胴の外周面にブランケットのベース板の厚さの２倍よりも若干大きな幅で開口し、一方のエッジをブランケットの咥え側の折り曲げ角度と略同じ鋭角にし、他方のエッジをブランケットの咥え尻側のいずれの折り曲げ角度よりも小さな鋭角にした挿入溝と、穴に回転可能に支持され、回転変位でブランケットの咥え尻側の折り曲げ部の内側に掛かって咥え尻側を胴内に引き込む掛かり部と、回転変位で咥え尻側を胴外に押し出す押し出し面とを一方が咥え尻側から離隔して形成された引込み軸と、引込み軸がブランケットの咥え尻側を常にブランケット胴内に引き込む向きに力を付与する回転力付与手段とで構成したブランケット装着部を有している。
【０００５】
また、特許文献２には、印刷過程時に胴溝の衝撃に基づき生じる振動を減少させ、しかもゴムブランケットを緊定するための力を不要にするため、 ゴムブランケットユニットが、支持プレートに固定されたゴムブランケットから成っており、支持プレートの縁曲げされた脚部が、ゴムブランケットの端部を越えて突出するように配置されており、支持プレートの縁曲げされた両脚を一緒にゴム胴のスリットの側面に押圧する、個々にばね支承された複数の押圧突起が設けられており、該押圧突起が、両脚にほぼ直角な方向でのみ作用するように軸方向で相並んで配置されており、支持プレートの互いに接触する両脚部が、前記スリットの側面と押圧突起８との間で確実に締付け可能となるようにばね力およびばね行程が設定されている。
【特許文献１】特開２００２−０１９０７９号公報
【特許文献２】特開平９−９９５４３号公報
【発明の開示】
【発明が解決しようとする課題】
【０００６】
前記特許文献１記載のブランケット固定装置は、回転する軸の掛かり部にブランケットの折り曲げ部を掛けてブランケットを引き込んで固定するため、ブランケットの折り曲げ部が緩んだり、変形したりすると精度よく且つ強固に固定できない場合がある。また、咥え尻側の折り曲げ部を拘束溝に挿入する操作が非常に困難になる。前記特許文献２記載のブランケット固定装置は、回転する軸のスリットにブランケットの折り曲げ部を掛けてブランケットを引き込んで固定し、さらに複数の押圧突起で部分的に押圧する構造となっているため、部品点数が多くなり組み付け作業に手間がかかる。
【０００７】
そこで、本発明は、ブランケットをブランケット胴に精度良くかつ強固に固定できるとともに部品点数を少なくしたブランケット固定装置を提供するものである。
【課題を解決するための手段】
【０００８】
本発明は、円柱状のブランケット胴の周面に軸方向にブランケットの基端を差し込んで拘束するための拘束溝が形成されるとともに、ブランケット胴内に回転バーがその軸線周りに回転自在に支持され、回転バーには拘束溝に差し込まれたブランケットの両方の基端を押し付けて固定する軸方向に長尺状の押さえバーが進退可能に支持されていることを特徴とする。
【０００９】
本発明は、円柱状のブランケット胴の周面に軸方向に形成された凹部に外周面をブランケット胴の外形と等しくした形状を持ちかつブランケット胴の一部の周面を形成するブロックが固定され、ブランケット胴の周面に、ブランケット胴本体の凹部とブロックの対向面との間にブランケットの両方の基端を差し込んで拘束するための拘束溝が形成され、ブロック内には、軸方向に拘束溝に通じる開放部を有する回転バー溝内に回転バーがその軸線周りに回転自在に支持され、回転バーには、拘束溝に差し込まれたブランケットの基端を押し付けて固定する軸方向に長尺状の押さえバーが進退可能に支持されている構成とすることができる。
【００１０】
この構成において、回転バーの一端には、回転バーを回すための棒を挿入する挿入孔を軸線と直交する方向に設けた回転用カラーが、回転バーの軸方向に移動可能且つ回転バーを回転可能に設けられるとともに、ブランケット胴に対してクラッチを介して接離可能に設けられたり、回転バーには、拘束溝に差し込まれたブランケットの両方の基端を押し付けて固定する押さえバーが、押さえバーに固定した複数のボルトのそれぞれに通した圧縮バネを押さえバーと回転バーとの間に介在させて前進後退可能に回転バーに支持したりすることができる。
【００１１】
また、押さえバーは軸方向に複数に分割してもよいし、押さえバーのブランケット基端押さえ部分が間隔をおいて複数形成してもよい。
【００１２】
また、拘束溝に挿入したブランケットの両方の基端が回転バー溝の内面に位置する、拘束溝と回転バー溝の位置関係とし、押さえバーで前記基端を回転バー溝の内面に折り曲げ押圧する構成とすることができる。
【００１３】
また、ブランケットの基端に膨出部を形成し、この膨出部または膨出部周りを押さえバーで押圧してもよく、さらに、膨出部の凹面を押さえバーで押圧するようにしてもよい。
【発明の効果】
【００１４】
本発明では、押さえバーでブランケットの基端を幅方向全体に亘って押さえ付けることから、拘束溝への挿入が容易であるとともに正確に且つ強固に固定することができる。
【００１５】
本発明では、長尺状の押さえバーに複数のボルト、圧縮バネを設け、ブランケット基端全体を押さえるように構成しているので、構造が簡単であり、部品点数を低減させることができる。
【００１６】
本発明では、ブランケットの基端に膨出部を形成することにより基端をスプリング力により強固に固定することができる。
【発明を実施するための最良の形態】
【００１７】
本発明の実施例を、図面を参照しながら説明する。
【実施例１】
【００１８】
図１は本発明のブランケット固定装置を備えた２頁周長４頁幅のブランケット胴において、２頁幅の拘束溝の部分を示す縦断面図で、左側が押さえバーを前進させた状態、右側が押さえバーを後退させた状態を示す。図２（ａ）は図１のＡ−Ａ断面図、図２（ｂ）はＢ−Ｂ断面図である。
【００１９】
図１および図２において、円柱状のブランケット胴１は、ブランケット胴本体１ａ、ブロック３、回転バー８等からなり、ブランケット胴本体１ａの外周に軸方向に凹部２が形成され、この凹部２の中にブロック３が組み込まれ、ブロック３はボルト４でブランケット胴本体１ａに固定されている。ブロック３はその外周面をブランケット胴１の外周面と等しくした形状を持ち、ブランケット胴１の一部の周面を形成する。ブランケット胴１の周面には、ブランケット胴本体１ａの凹部２とブロック３の対向面との間にブランケットＢの基端１７，１８（図３）を差し込んで拘束するための拘束溝５が形成されている。
【００２０】
ブロック３内には、軸方向に拘束溝５に通じる開放部６を有する断面円形の回転バー溝７が形成されている。回転バー溝７内には回転バー８がその両端をブランケット胴１に軸線周りに回転自在に支持されている。
【００２１】
なお、実施例では、ブランケット胴本体に形成した凹部にブロックを固定したが、ブランケット胴の端面から拘束溝に沿って回転バーを挿入する回転バー溝を形成することもできる。
【００２２】
回転バー８の一端には、回転バー８を回すための棒を挿入する挿入孔９を軸線と直交する方向に設けた回転用カラー１０が、回転バーの軸方向に移動可能に且つ回転バーを回転できるようにキーにより取り付けられている。さらに回転用カラー１０は、ブランケット胴１に対してクラッチ１１を介して接離可能に設けられ、圧縮バネ１２によりクラッチ側に付勢され回転不能とさせている。
【００２３】
回転バー８には、拘束溝５に差し込まれたブランケットの基端をブランケット胴１の凹部２の壁面１３に押し付けて固定する押さえバー１４が進退可能に配設されている。押さえバー１４は、押さえバー１４に固定したボルト１５を通した圧縮バネ１６を押さえバー１４と回転バー８との間に介在させ、進退可能に回転バー８に支持されている。なお、図１では押さえバー１４は２頁幅の拘束溝５に沿って一本であり、この押さえバー１４の７箇所にボルト１５を設けている。
【００２４】
次に、ブランケット固定装置の動作について説明する。
【００２５】
図３はブランケットの基端を拘束溝に差し込んで固定した状態を示す縦断面図である。
【００２６】
押さえバー１４が図２（ｂ）に示すように、回転バー溝７の内面に接して拘束されている状態で、拘束溝５にブランケットの一方の基端１７を差し込んでブランケット胴１に引っ掛け、さらに他方の基端１８を差し込んで重ねる。基端１７，１８は回転バー溝７の開放部６まで差し込まれている。
【００２７】
次いで、図１に示す回転バー８の一端に設けられた回転用カラー１０の挿入孔９に棒を挿入し、クラッチ１１を外して回転バー８を回転させる。回転バー８の回転に伴い、押さえバー１４が回転バー溝７の内面から拘束溝５に通じる開放部６に移動して押さえバー１４がブランケットＢの基端１８に接し、基端１７，１８がブランケット胴１の凹部２の壁面１３へ押し付けられて固定される。
【００２８】
ブランケットＢの基端１７，１８が固定されると、圧縮バネにより回転用カラー１０をクラッチ１１側に付勢させて回転バー８が回転しないようにし、棒を挿入孔９から抜く。
【００２９】
ブランケットＢを取り替える場合、回転用カラー１０の挿入孔９に棒を挿入し、圧縮バネ１２に抗してクラッチ１１を外して回転バー８を逆回転させる。回転バー８の回転に伴い、押さえバー１４が開放部６から回転バー溝７の内面に移動すると、押さえバー１４がブランケットＢの基端１７，１８から外れて取り替え可能となる。
【実施例２】
【００３０】
図４はブランケットの基端の実施例で、（ａ）は正面図、（ｂ）は下から見た斜視図、（ｃ）はブランケットの基端を拘束溝に差し込んだ状態を示す縦断面図である。    
図４（ａ）および（ｂ）において、ブランケットの一方の基端１７に全長に亘って外側に膨出した曲面の膨出部１９を形成する。
【００３１】
図４（ｃ）に示すように、ブランケットＢの基端１７，１８を拘束溝５に挿入し、回転バー８を回転させる。回転バー８の回転に伴い、押さえバー１４が回転バー溝７の内面から拘束溝５に通じる開放部６に移動して押さえバー１４がブランケットＢの基端１８に接し、基端１７がブランケット胴１の凹部２の壁面１３へ押し付けられて固定される。押さえバー１４が基端１７，１８の重なった膨出部１９のスプリング力により押し付け力が増加して強固に固定することができる。
【００３２】
図５はブランケットの基端の別実施例で、（ａ）は正面図、（ｂ）はブランケットの基端を拘束溝に差し込んだ状態を示す縦断面図で、（ｃ）はさらに別実施例を示す図である。  
図５（ａ）は、ブランケットの一方の基端１７に全長に亘って内側に膨出した曲面の膨出部１９を形成し、他方の基端１８には全長に亘って外側に膨出した曲面の膨出部２０を形成している。図５（ｂ）は、押さえバー１４が基端１７，１８の重なった膨出部１９，２０の凹側に入り込んで押し付けることによって強固に固定した例である。
【００３３】
なお、図５（ｃ）は、壁面１３に凹部１３ａを形成し、この凹部１３ａに膨出部１９を重ねた例を示す。
【００３４】
図６（ａ）〜（ｃ）はブランケットの基端の膨出部の別実施例を示す図である。
【００３５】
図６（ａ）は、全長に亘って外側に膨出した断面三角形の膨出部１９を示す図、図６（ｂ）は、間隔をおいて形成した外側に膨出した膨出部、図６（ｃ）は、山形に形成した膨出部１９を示す図、図６（ｄ）は、間隔をおいて形成した複数の長い膨出部を示す図である。図４，５に示す膨出部１９と同様に、基端１７，１８をスプリング力で強固に固定することができる。
【実施例３】
【００３６】
図７はブランケットの基端を固定する別実施例を示す縦断面図である。
【００３７】
図７では、断面円形の回転バー溝７の曲面が拘束溝５に連続している。拘束溝５に挿入したブランケットの両方の基端１７，１８が、回転バー溝７の拘束溝５に連続する曲面に押さえバー１４で押圧されて曲面に沿って折り曲げられて強固に固定される。
【００３８】
なお、基端１７，１８は、事前に折り曲げておいてもよく、押さえバー１４で回転バー溝７の曲面に押圧して固定することもできる。
【実施例４】
【００３９】
図８は本発明で使用する押さえバーの別実施例を示す図である。
【００４０】
図８（ａ）は、押さえバー１４のブランケット基端の押さえ部分２１が間隔をおいて複数形成された例で、この例では、全体を押圧するのに比べて各押さえ部分２１の押圧力を強くすることができる。
【００４１】
また、図８（ｂ）は、押さえバー１４を軸方向に複数に分割した例で、図８（ｃ）は、分割した押さえバー１４に押さえ部分２１を形成したものである。
【００４２】
各押さえバー１４には、実施例１と同様に、複数のボルト１５が固定され、圧縮バネを設けている。
【００４３】
本実施例では、万が一、ブランケットの基端の厚みが均一でない場合や押圧部分に異物があった場合でも他の押さえ部分で押圧することができる。
【図面の簡単な説明】
【００４４】
【図１】本発明のブランケット固定装置を備えた２頁周長４頁幅のブランケット胴において、２頁幅の拘束溝の部分を示す縦断面図である。
【図２】（ａ）は図１のＡ−Ａ断面図、図２（ｂ）はＢ−Ｂ断面図である。
【図３】ブランケットの基端を拘束溝に差し込んだ状態を示す縦断面図である。
【図４】ブランケットの基端の別実施例で、（ａ）は正面図、（ｂ）は下から見た斜視図、（ｃ）はブランケットの基端を拘束溝に差し込んだ状態を示す縦断面図である。
【図５】ブランケットの基端の別実施例で、（ａ）は正面図、（ｂ）はブランケットの基端を拘束溝に差し込んだ状態を示す縦断面図である。
【図６】（ａ）〜（ｄ）はブランケットの基端の膨出部の別実施例を示す図である。
【図７】ブランケットの基端を固定する別実施例を示す縦断面図である。
【図８】本発明で使用する押さえバーの別実施例を示す図である。
【図９】ブランケットの例を示す斜視図である。
【符号の説明】
【００４５】
１：ブランケット胴  ２：凹部
１ａ：ブランケット胴本体
３：ブロック        ４：ボルト
５：拘束溝          ６：開放部
７：回転バー溝      ８：回転バー
９：挿入孔          １０：回転用カラー
１１：クラッチ        １２：圧縮バネ
１３：壁面            １３ａ：凹部
１４：押さえバー      １５：ボルト
１６：圧縮バネ        １７，１８：基端
１９，２０：膨出部    ２１：押さえ部分
Ｂ：ブランケット
【図１】
2010012747.tif 000003
【図２】
2010012747.tif 000004
【図３】
2010012747.tif 000005
【図４】
2010012747.tif 000006
【図５】
2010012747.tif 000007
【図６】
2010012747.tif 000008
【図７】
2010012747.tif 000009
【図８】
2010012747.tif 000010
【図９】
2010012747.tif 000011